(57)【要約】【課題】光源が統一され、照明の際の光の干渉現象を打ち消すことが可能であり、優れた導熱、放熱効果を得ることが可能な工作機械用のＬＥＤ照明装置を提供する。【解決手段】工作機械用のＬＥＤ照明装置は、内部に収容空間１３１を有する照明カバー本体１１、および、照明カバー本体１１の収容空間１３１内部に設けられ、複数個のチップにより構成されるＬＥＤモジュール２１を含む。これにより、その照射面積は一点に集中するため、輝度は均等で良好な視覚効果をもたらし、長時間使用した場合でも容易に疲れることはない。また、構造が単純で、照明装置の体積を過度に増加させることがない上、確実な放熱効果をもたらし、高い実用性を有する。【選択図】  図１
0003147238.tif 000002
【実用新案登録請求の範囲】
【請求項１】
内部に収容空間を有する照明カバー本体と、
前記照明カバー本体の前記収容空間内部に設けられ、複数個のチップが集積され製造されたＬＥＤライトを有し、照明の際必要な光源を提供するＬＥＤモジュールと、
を備えることを特徴とする工作機械用のＬＥＤ照明装置。
【請求項２】
前記照明カバー本体は、台座と外部カバーとが接合されることで構成され、
前記台座の一端は装着面を形成し、前記ＬＥＤモジュールが装着可能で、前記台座のもう一端は外部に延伸し複数個の放熱フィンを備えることを特徴とする請求項１に記載の工作機械用のＬＥＤ照明装置。
【請求項３】
前記外部カバーの周囲は、複数個の平行に配列された放熱フィンを有し、
前記外部カバーの両端は、それぞれ外部と接合し、前記外部カバーの一端は前記台座の装着面の端面上に接合することを特徴とする請求項２に記載の工作機械用のＬＥＤ照明装置。
【請求項４】
前記外部カバーは、反射鏡を有し、
前記反射鏡は、長い円錐状を呈し、大径端および小径端を有し、前記外部カバーの中心軸と同軸に装着され、前記小径端は前記台座の装着面に接合し、前記ＬＥＤモジュールは前記小径端に接合することを特徴とする請求項２に記載の工作機械用のＬＥＤ照明装置。
【請求項５】
前記外部カバーの前記台座とは反対側の端面にはレンズユニットがかぶせられ、
前記レンズユニットにはマイクロレンズが使用され、前記ＬＥＤモジュールが生み出す光源を収束、集中可能なことを特徴とする請求項２に記載の工作機械用のＬＥＤ照明装置。
【請求項６】
前記外部カバーの前記台座とは反対側の端面にはレンズユニットがかぶせられ、
前記外部カバー内部には前記反射鏡が設けられ、
前記反射鏡は、長い円錐状を呈し、前記大径端および前記小径端を有し、
前記小径端は、前記台座の前記装着面に接合し、
前記ＬＥＤモジュールは、前記反射鏡の前記小径端内部に収まり、
前記レンズユニットは、レンズ、保護カバー、および固定リングで構成され、
前記レンズと前記保護カバーとは前記反射鏡の前記大径端に接合され、前記レンズには前記マイクロレンズが使用され、
前記固定リングは、前記外部カバーの前記台座とは反対側の端面上に接合するのに用いられ、
前記保護カバー、前記レンズ、および前記反射鏡は、前記固定リングにより前記外部カバー内部に固定されることを特徴とする請求項２に記載の工作機械用のＬＥＤ照明装置。
【考案の詳細な説明】
【技術分野】
【０００１】
本考案は照明装置に関するもので、詳細には、工作機械用のＬＥＤ照明装置に関する。
【背景技術】
【０００２】
ＬＥＤ（Ｌｉｇｈｔ  Ｅｍｉｔｔｉｎｇ  Ｄｉｏｄｅ、発光ダイオード）は使用寿命が長く、省電力、および明るいなどの長所から、寿命が短く、消費電力が多い、効率の低い従来の電球に代わり、現在では照明器具に広く応用されている。しかしＬＥＤは、そのパッケージング工程で、ひとつのチップがひとつの発光体に装着され、製造される。したがってＬＥＤの照度不足という欠点を解消するため、複数個のＬＥＤが組み合わされることで照度を高めることが出来る。しかし、複数個のＬＥＤが同時に発光する際、ＬＥＤ内部の発光体の照射方向がそれぞれ異なるため、各ＬＥＤの照射する光がそれぞれ干渉することがあり、光源の中心部は明るくても、光源の周辺部が暗く、光源の照射先に対する照準が合わず、照らしたい目的物の照明に適さないという欠点がある。
またＬＥＤは耐熱性が低いため、一定の時間連続使用する場合、放熱しなければ、ＬＥＤ本体、周囲の電子部品、あるいは電源装置が容易に破損する。
【０００３】
図６に示すように、従来のＬＥＤ照明装置の放熱構造は、主に照明カバー５１、ＬＥＤモジュール５２、導熱管５３、および放熱フィン５４で構成される。うち、ＬＥＤモジュール５２は照明カバー５１内に装着され、導熱管５３の一端は照明カバー５１内側の装着部５５に接合され、もう一端は放熱フィン５４に接合される。ＬＥＤモジュール５２が発光し放熱する際、発生した熱は、導熱管５３を通じ照明カバー５１内側の装着部５５から放熱フィン５４へ導かれ、放熱される。しかし、上記の従来のＬＥＤ照明装置の放熱構造は、実際に使用される際、導熱管５３と照明カバー５１との接触面積が限られているため、その放熱効果には限りがある。またこの種の設計の放熱構造では、照明カバー５１の外側に別途導熱管５３および放熱フィン５４を設ける必要があるため、照明装置全体の体積が大きくなり、装置自体の組み立てが複雑になるという問題がある。
【０００４】
図７に示すように、もう一種の従来のＬＥＤ照明装置の放熱構造は、台座６１の内部に装着部６２が設けられ、装着部６２にＬＥＤモジュール６３が装着される。さらに装着部６２の内部には電線６４が通され、ＬＥＤモジュール６３に電源を供給する。装着部６２の周囲には半球状の放熱フィン６５がかぶせられ、この放熱フィン６５がＬＥＤモジュール６３から伝わる熱を空気中に放熱する。しかしこの種の設計の放熱構造では、放熱フィン６５と空気が接触することではじめて放熱効果が得られるため、放熱面積が小さければ放熱効果が低いという欠点がある。さらにこの種の設計の放熱構造の場合、ＬＥＤモジュールが発光した際、実際に発熱するのはＬＥＤモジュール６３の内側であるにもかかわらず、半球状の放熱フィン６５はＬＥＤモジュール６３の内側に直接接していないため、有効な放熱効果が得られず、ＬＥＤ照明装置は充分な放熱効果が得られないため、ＬＥＤの使用寿命が短いという欠点がある。
【考案の開示】
【考案が解決しようとする課題】
【０００５】
本考案の第一の目的は、光源が統一され、照明の際の光の干渉現象を打ち消すことが可能な工作機械用のＬＥＤ照明装置を提供することにある。
本考案の第二の目的は、優れた導熱、放熱効果を得ることが可能な工作機械用のＬＥＤ照明装置を提供することにある。
【課題を解決するための手段】
【０００６】
請求項１で述べているように、前記の課題を実現するため、本考案による工作機械用のＬＥＤ照明装置は、内部に収容空間を有する照明カバー本体、および、照明カバー本体の収容空間内部に設けられ、複数個のチップにより構成されるＬＥＤモジュールを含む。
【考案を実施するための最良の形態】
【０００７】
以下、本考案の実施形態による工作機械用のＬＥＤ照明装置を、図面に基づいて説明する。
（一実施形態）
図１に示すように、本考案の一実施形態による工作機械用のＬＥＤ照明装置は、照明カバー本体１１内部に設けられたＬＥＤモジュール２１を有する。ＬＥＤモジュール２１は複数個のＬＥＤにより構成され、これらのＬＥＤは１枚のプリント基板上に装着される。ＬＥＤが点灯した際、各ＬＥＤの光源が集中し、明かりが必要な対象物を照射することが出来る。
【０００８】
照明カバー本体１１は、台座１２と外部カバー１３とから構成される。台座１２は、装着面１２１を有し、ＬＥＤモジュール２１が装着される。台座１２のもう一端は、外部へ延伸され、複数個の放熱フィン１２２を有する。
【０００９】
外部カバー１３は、筒状を呈し、内部に収容空間１３１を有する。外部カバー１３外周には、複数個の平行に配列された放熱フィン１３２を有する。外部カバー１３の一端は台座１２の装着面１２１の端面上に接合され、ＬＥＤモジュール２１は外部カバー１３の収容空間１３１内部に収容される。
【００１０】
外部カバー１３の収容空間１３１の軸部には反射鏡１４が同軸に装着され、反射鏡１４の小径端１４２は台座１２の装着面１２１上に接し、ＬＥＤモジュール２１は反射鏡１４の小径端１４２内に収容される。図２に示すように、ＬＥＤモジュール２１が点灯した際、反射鏡１４は発散される光源を整え、ＬＥＤモジュール２１が発射する光源を同一方向に集中させる。
【００１１】
外部カバー１３のもう一端は、レンズユニット１５に接する。レンズユニット１５は、レンズ１６、保護カバー１７、および固定リング１８から構成される。レンズ１６と保護カバー１７とは、反射鏡１４の大径端１４１に接合される。図３に示すように、本実施形態のレンズ１６にはマイクロレンズが使用されるため、ＬＥＤモジュール２１が発光した光は、レンズ１６を通過することにより、光源が収束し、集中する。一方でマイクロレンズが使用されない場合、光源が発散する現象が生じる。
【００１２】
固定リング１８は、外部カバー１３が台座１２と接合する端面の反対側の一端に接合され、保護カバー１７、レンズ１６、および反射鏡１４を外部カバー１３の収容空間１３１内部に固定する。
【００１３】
本実施形態では、ＬＥＤモジュール２１が照射する光源は反射鏡１４を通じ屈折し、さらにレンズ１６のマイクロレンズにより屈折し、照射したい対象物上に収束、集中する。照射したい対象物が置かれた加工場所一帯は、均等に明るくなり、良好な視覚効果が得られ、作業者が光源不足、あるいはまばゆいなどの現象により加工が難しくなるといった現象を避けることが出来、対象物の加工時の加工精度が向上することが可能となる。
【００１４】
本実施形態で使用されるＬＥＤは、高輝度ＬＥＤ（Ｈｉｇｈ  Ｐｏｗｅｒ  ＬＥＤ）であり、高輝度、柔らか、安定、連続、さらには自然光に近い理想的な光源を提供可能である。ＬＥＤが生み出す光源の色温度は、５０００Ｋ以上に達し、対象物をより鮮明に照らすことが可能である。
【００１５】
本実施形態のＬＥＤモジュール２１は、マルチチップシングルモジュールのパッケージング技術を用いて製造されたＬＥＤライトである。ＬＥＤライトはプリント基板上に設けられ、ＬＥＤライト上には複数個の発光部品２２を有し、ＬＥＤライトの各発光部品２２は通電、点灯した際、高輝度ＬＥＤの光源となる。また各発光部品２２はひとつのＬＥＤライト上に設けられるため、ＬＥＤモジュール２１の体積を大幅に減少することが可能なほか、各発光部品２２は発光する際に同一方向へ光源を発するため、照明の際充分かつ整った光源が提供可能で、光の干渉による影の重なりなどの現象を避けることができる。
【００１６】
図４に示すように、本実施形態によるＬＥＤ照明装置は、使用される際、ＬＥＤモジュール２１は台座１２の装着面１２１上に位置する。よってＬＥＤモジュール２１の発光部品２２の後方が発熱するため、発生した熱は台座１２の放熱フィン１２２に伝わる。台座１２が発する熱はさらに、すみやかに外部カバー１３の放熱フィン１３２に伝わる。本実施形態は、大きな放熱面積を有しているため、本考案の一実施形態によるＬＥＤ照明装置全体の放熱効果は高い。
【００１７】
ＬＥＤ照明装置図５は本考案の一実施形態によるＬＥＤ照明装置が工作機械４１に装着された状態を示す。工作機械４１で切削加工を行う際、外部カバー１３上に設けられた保護カバー１７が、加工中に外部カバー１３の収容空間１３１内に切粉が入るのを防ぐ。
【００１８】
本考案は以下の長所を有する。
第一に、本考案はＬＥＤを利用し必要な照明光源としているため、ＬＥＤが生み出す光源には紫外線あるいは赤外線が含まれておらず、人体に輻射性障害をもたらすことがない。また、ＬＥＤには低圧電流電源が用いられるため、発射される光がまばゆい、あるいはちかちかするといった現象を回避できる。さらに、その照射面積は一点に集中するため、輝度は均等で良好な視覚効果をもたらし、長時間使用した場合でも容易に疲れることはない。
【００１９】
第二に、本考案の構造は単純で、照明装置の体積を過度に増加させることがない上、確実な放熱効果をもたらし、高い実用性を有する。
【図面の簡単な説明】
【００２０】
【図１】本考案の一実施形態による工作機械用のＬＥＤ照明装置を示す分解斜視図である。
【図２】本考案の一実施形態による工作機械用のＬＥＤ照明装置の組み立て後の照射状態を示す断面図である。
【図３】本考案の一実施形態による工作機械用のＬＥＤ照明装置のレンズユニットに、マイクロレンズを使用した場合、およびマイクロレンズを使用しない場合を説明する模式図である。
【図４】本考案の一実施形態による工作機械用のＬＥＤ照明装置の組み立て後の放熱状態を示す断面図である。
【図５】本考案の一実施形態によるＬＥＤ照明装置が工作機械に装着された状態を示す斜視図である。
【図６】従来の工作機械用のＬＥＤ照明装置を示す分解斜視図である。
【図７】もう一種の従来の工作機械用のＬＥＤ照明装置を示す分解斜視図である。
【符号の説明】
【００２１】
１１：照明カバー本体、１２：台座、１２１：装着面、１２２：放熱フィン、１３：外部カバー、１３１：収容空間、１３２：導熱フィン、１４：反射鏡、１４１：大径端、１４２：小径端、１５：レンズユニット、１６：レンズ、１７：保護カバー、１８：固定リング、２１：ＬＥＤモジュール、２２：発光部品、４１：工作機械、５１：照明カバー、５２：ＬＥＤモジュール、５３：導熱管、５４：放熱フィン、５５：装着部、６１：台座、６２：装着部、６３：ＬＥＤモジュール、６４：電線、６５：放熱フィン
【図１】
0003147238.tif 000003
【図２】
0003147238.tif 000004
【図３】
0003147238.tif 000005
【図４】
0003147238.tif 000006
【図５】
0003147238.tif 000007
【図６】
0003147238.tif 000008
【図７】
0003147238.tif 000009